(57)【要約】【課題】未塗工部の撓みを抑制できる蓄電装置用の電極を提供する。【解決手段】正極電極２１は、矩形シート状の正極金属箔２２と、正極金属箔２２の両面に存在する正極活物質層２３と、正極活物質層２３が存在せず、正極電極２１の第１縁部２１ａに沿って正極金属箔２２が露出する未塗工部２４とを備える。正極金属箔２２は、第１縁部２１ａが延びる方向の一方の端部である第１端部２２ａに、未塗工部２４の一部である角部２１ｅを折り返して構成された折り返し部２６を備える。【選択図】図５
2018120703.tif 000002
【特許請求の範囲】
【請求項１】
矩形シート状の金属箔と、
前記金属箔の少なくとも片面に存在する活物質層と、
前記活物質層が存在せず、前記金属箔の一辺に沿って金属箔が露出する未塗工部と、
を備えた蓄電装置用の電極であって、
前記金属箔は、前記一辺が延びる方向の一方の端部に、前記未塗工部の一部を折り返して構成された折り返し部を備えることを特徴とする蓄電装置用の電極。
【請求項２】
前記折り返し部を構成する前記未塗工部の一部は、前記未塗工部の角部である請求項１に記載の蓄電装置用の電極。
【請求項３】
前記折り返し部を構成する前記未塗工部の一部は、前記一辺の一部から突出する突出片である請求項１に記載の蓄電装置用の電極。
【請求項４】
前記未塗工部は、前記一辺の一部から突出するタブを備える請求項３に記載の蓄電装置用の電極。
【請求項５】
前記タブと前記突出片は、前記一辺に沿う方向において隣り合う請求項４に記載の蓄電装置用の電極。
【請求項６】
前記電極は、正極電極である請求項１〜請求項５の何れか一項に記載の蓄電装置用の電極。
【請求項７】
矩形シート状の金属箔と、
前記金属箔の少なくとも片面に存在する活物質層と、
前記活物質層が存在せず、前記金属箔の一辺に沿って金属箔が露出する未塗工部と、
を備えた蓄電装置用の電極であって、
前記金属箔は、前記一辺が延びる方向の一方の端部に、前記未塗工部の角部が角取りされた角取り部を備えることを特徴とする蓄電装置用の電極。
【発明の詳細な説明】
【技術分野】
【０００１】
本発明は、矩形シート状の金属箔と、金属箔の少なくとも片面に存在する活物質層と、活物質層が存在せず、金属箔の一辺に沿って金属箔が露出する未塗工部と、を備えた蓄電装置用の電極に関する。
【背景技術】
【０００２】
ＥＶ（Electric Vehicle）やＰＨＶ（Plug in Hybrid Vehicle）などの車両には、走行用モータへの供給電力を蓄える蓄電装置としての二次電池が搭載されている。一般に、二次電池は、電極組立体を収容するケースを備え、そのケース内に電極組立体が収容されている。電極組立体は、例えば、複数の正極電極と複数の負極電極との間にセパレータを介在させた状態で積層した積層型の電極組立体である（特許文献１参照）。
【０００３】
正極電極及び負極電極は、矩形シート状の金属箔と、金属箔の両面に存在する活物質層と、活物質層が存在せず、金属箔の一辺に沿う縁部が露出する未塗工部とを備える。このような電極は、各種工程を経て積層され、電極組立体となる。
【０００４】
各種工程には、例えば、特許文献２に開示の反転重ね装置が用いられる。反転重ね装置は、物品を反転するとともに、反転された複数の物品を積層した状態で次工程へ排出する装置である。反転重ね装置は、長円リング状で周回可能なチェーンと、チェーンの外周に取り付けられたポケットとを備える。ポケットは、チェーンの回転とともに移動する。ポケットは、物品を収容するための開口部を有する。反転重ね装置は、チェーンの円弧状の部分において物品を反転させながら搬送する。このとき、物品が遠心力によりポケットの開口部から飛び出して脱落するおそれがある。このため、反転重ね装置は、チェーンの円弧状の部分に対応してポケットの開口部よりも外側に規制壁（ガイド部材）を備える。
【先行技術文献】
【特許文献】
【０００５】
【特許文献１】特開２０１４−７８４３９号公報
【特許文献２】特開２００５−９６９５４号公報
【発明の概要】
【発明が解決しようとする課題】
【０００６】
特許文献１の電極の搬送時に反転重ね装置を用いた場合、電極は、反転時に遠心力によってポケットから飛び出そうとして、規制壁に接触する。電極の未塗工部は、シート状の金属箔で形成されているため変形しやすく、ガイド部材との接触により撓んでしまう。未塗工部が大きく撓んだ状態で電極及びセパレータを積層すると、例えば、撓んだ未塗工部が隣り合うセパレータを突き破って、他の極性の電極に接触し、蓄電装置の短絡に繋がるおそれがある。
【０００７】
本発明は、上記課題を解決するためになされたものであり、その目的は、未塗工部の撓みを抑制できる蓄電装置用の電極を提供することにある。
【課題を解決するための手段】
【０００８】
上記問題点を解決するための蓄電装置用の電極は、矩形シート状の金属箔と、前記金属箔の少なくとも片面に存在する活物質層と、前記活物質層が存在せず、前記金属箔の一辺に沿って金属箔が露出する未塗工部と、を備えた蓄電装置用の電極であって、前記金属箔は、前記一辺が延びる方向の一方の端部に、前記未塗工部の一部を折り返して構成された折り返し部を備えることを要旨とする。
【０００９】
搬送装置による電極の搬送中に、金属箔の一方の端部は、搬送装置が備える規制壁に衝突する場合がある。金属箔の一方の端部は、折り返し部を備えることでクッション性が良好となる。クッション性が良好になることで、衝突時の衝撃を吸収できる。また、金属箔の一方の端部は、折り返し部の分だけ厚くなっているため、折り返し部を備えない場合と比較して強度が高くなり、クッション性が良好となる。また、折り返し部によって、衝突時に荷重が集中する部分の面積が大きくなるため、金属箔の一方の端部に発生する応力が低減され、クッション性が良好となる。このように金属箔の一方の端部のクッション性が良好となることで、未塗工部は撓むことなく衝突時の衝撃を吸収できる。その結果、異なる極性の電極同士を絶縁部材を介して交互に積層した場合に、撓んだ未塗工部が絶縁部材を突き破り、他の極性の電極に接触することによる短絡を抑制できる。また、未塗工部の撓みを原因とした積層時の積層ずれや、電極を積層して形成される積層体の厚みの増加を抑制できる。
【００１０】
また、蓄電装置用の電極について、前記折り返し部を構成する前記未塗工部の一部は、前記未塗工部の角部であるが好ましい。
これによれば、未塗工部の角部を折り返すことで、金属箔の端部の強度を容易に高くできる。また、未塗工部の角部を折り返すことで、金属箔は角取りされた形状になるため、衝突時に荷重が集中する部分の面積を大きくできる。よって、金属箔の端部に発生する応力が低減され、未塗工部は撓むことなく衝突時の衝撃を吸収できる。
【００１１】
また、蓄電装置用の電極について、前記折り返し部を構成する前記未塗工部の一部は、前記一辺の一部から突出する突出片であるのが好ましい。
これによれば、突出片を折り返すことで、金属箔の強度を容易に高くできる。また、突出片の大きさを変更するだけで折り返し部の大きさも容易に変更できる。
【００１２】
また、蓄電装置用の電極について、前記未塗工部は、前記一辺の一部から突出するタブを備えるのが好ましい。
これによれば、未塗工部からは、タブと突出片とが同方向に突出することとなる。よって、電極の製造に関し、タブと突出片の突出方向が異なる場合よりも、突出片を折り返す前の金属箔の形状を簡単化できる。
【００１３】
また、蓄電装置用の電極について、前記タブと前記突出片は、前記一辺に沿う方向において隣り合うのが好ましい。
これによれば、電極の製造に関し、タブと突出片とが離れた位置に存在している場合よりも、突出片を折り返す前の金属箔の形状を簡単化できる。
【００１４】
また、蓄電装置用の電極について、前記電極は、正極電極であるのが好ましい。
一般に正極電極と負極電極とをセパレータを介して交互に積層した電極組立体において、正極電極の大きさは負極電極やセパレータの大きさよりも一回り小さいことが多い。このため、撓んだ未塗工部がセパレータに接触する可能性は、負極電極よりも正極電極の方が高い。よって、正極電極の金属箔が端部に折り返し部を備えるのが好ましい。
【００１５】
上記問題点を解決するための蓄電装置用の電極は、矩形シート状の金属箔と、前記金属箔の少なくとも片面に存在する活物質層と、前記活物質層が存在せず、前記金属箔の一辺に沿って金属箔が露出する未塗工部と、を備えた蓄電装置用の電極であって、前記金属箔は、前記一辺が延びる方向の一方の端部に、前記未塗工部の角部が角取りされた角取り部を備えることを要旨とする。
【００１６】
搬送装置による電極の搬送中に、金属箔の一方の端部は、搬送装置が備える規制壁に衝突する場合がある。金属箔の一方の端部は、角取り部を備えることでクッション性が良好となる。クッション性が良好になることで、衝突時の衝撃を吸収できる。また、角取り部によって、衝突時に荷重が集中する部分の面積が大きくなるため、金属箔の一方の端部に発生する応力が低減され、クッション性が良好となる。このように金属箔の一方の端部のクッション性が良好となることで、未塗工部は撓むことなく衝突時の衝撃を吸収できる。
【発明の効果】
【００１７】
本発明によれば、未塗工部の撓みを抑制できる。
【図面の簡単な説明】
【００１８】
【図１】第１の実施形態の二次電池の斜視図。
【図２】電極組立体の分解斜視図。
【図３】（ａ）は正極電極の平面図、（ｂ）は（ａ）の一部拡大図。
【図４】正極電極の搬送方法を示す側面図。
【図５】（ａ）は規制壁に衝突前の正極電極を示す平面図、（ｂ）は規制壁に衝突後の正極電極を示す平面図。
【図６】第２の実施形態の正極電極の平面図。
【図７】別例の正極電極の一部拡大平面図。
【図８】別例の正極電極を収容した電極収納セパレータの平面図。
【発明を実施するための形態】
【００１９】
（第１の実施形態）
以下、第１の実施形態を図１〜図５にしたがって説明する。
図１に示すように、蓄電装置としての二次電池１０は、外郭を構成する金属製のケース１１を備えている。ケース１１は、一面に開口部を備える有底直方体状のケース本体１２と、開口部を塞ぐ蓋体１３とを備えている。ケース１１には、電極組立体１４及び電解質としての電解液（図示略）が収容されている。二次電池１０はリチウムイオン電池である。
【００２０】
図２に示すように、電極組立体１４は、複数の蓄電装置用の電極としての正極電極２１と、複数の蓄電装置用の電極としての負極電極３１とが、電気伝導に係るイオン（リチウムイオン）が通過可能な多孔質膜で形成されたセパレータ４１を介して交互に積層されて構成されている。
【００２１】
図３（ａ）及び図３（ｂ）に示すように、正極電極２１は、矩形シート状の金属箔としての正極金属箔（例えばアルミニウム箔）２２と、正極金属箔２２の両面に存在する活物質層としての正極活物質層２３と、を有する。正極電極２１は、一対の長辺に沿う縁部のうちの一方の縁部に、正極金属箔２２の一辺としての第１縁部２１ａを備え、第１縁部２１ａの対辺となる他方の縁部に第２縁部２１ｂを備える。また、正極電極２１は、第１縁部２１ａと第２縁部２１ｂ同士を繋ぐ一対の短辺に沿う縁部のうちの一方の縁部に第３縁部２１ｃを備え、第３縁部２１ｃの対辺となる他方の縁部に第４縁部２１ｄを備える。第１縁部２１ａの延びる方向において、正極金属箔２２の一端部を第１端部２２ａとし、正極金属箔２２の他端部を第２端部２２ｂとする。正極電極２１において、第１縁部２１ａと第３縁部２１ｃとが交差する部分を角部２１ｅとし、第１縁部２１ａと第４縁部２１ｄとが交差する部分を角部２１ｆとし、第２縁部２１ｂと第４縁部２１ｄが交差する部分を角部２１ｇとする。角部２１ｅと角部２１ｇとは、正極電極２１において対角線上に位置する。
【００２２】
正極電極２１は、第１縁部２１ａに沿って正極金属箔２２の露出した未塗工部２４を備える。未塗工部２４は、正極金属箔２２において正極活物質層２３が存在せず、正極金属箔２２そのもので構成された部分である。上述の角部２１ｅ及び角部２１ｆは、未塗工部２４の一部である。未塗工部２４は、角部２１ｅ側の第１縁部２１ａの一部から突出した矩形状のタブとしての正極タブ２５を備える。正極タブ２５の突出方向は、第３縁部２１ｃや第４縁部２１ｄに沿った方向である。正極金属箔２２は、第１端部２２ａに、未塗工部２４の一部としての角部２１ｅを折り返した折り返し部２６を備える。本実施形態の折り返し部２６は、角部２１ｅを角部２１ｇに向かって折り返して構成されている。また、正極金属箔２２は、折り返された角部２１ｅとしての未塗工部２４の一部が折り返されていない未塗工部２４と重ねられた状態となるように十分折り曲げられる。
【００２３】
負極電極３１は、矩形シート状の金属箔としての負極金属箔（例えば銅箔）３２と、負極金属箔３２の両面に存在する活物質層としての負極活物質層３３と、を有する。負極電極３１は、一対の長辺に沿う縁部のうちの一方の縁部に、負極金属箔３２の一辺としての第１縁部３１ａを備え、第１縁部３１ａの対辺となる他方の縁部に第２縁部３１ｂを備える。また、負極電極３１は、第１縁部３１ａと第２縁部３１ｂ同士を繋ぐ一対の短辺に沿う縁部のうちの一方の縁部に第３縁部３１ｃを備え、第３縁部３１ｃの対辺となる他方の縁部に第４縁部３１ｄを備える。
【００２４】
負極電極３１は、第１縁部３１ａに沿って負極金属箔３２の露出した未塗工部３４を備える。未塗工部３４は、負極金属箔３２において負極活物質層３３が存在せず、負極金属箔３２そのもので構成された部分である。未塗工部３４は、第１縁部３１ａの一部から突出した矩形状のタブとしての負極タブ３５を備える。
【００２５】
負極電極３１の第１縁部３１ａの長さは、正極電極２１の第１縁部２１ａの長さより長く、負極電極３１の第２縁部３１ｂの長さは、正極電極２１の第２縁部２１ｂの長さより長い。また、負極電極３１の第３縁部３１ｃの長さは、正極電極２１の第３縁部２１ｃの長さより長く、負極電極３１の第４縁部３１ｄの長さは、正極電極２１の第４縁部２１ｄの長さより長い。よって、負極電極３１の外形は、正極電極２１の外形より大きい。なお、セパレータ４１の外形は、負極電極３１の外形と同じ大きさである。
【００２６】
正極電極２１と負極電極３１とは、正極タブ２５が積層方向に沿って列状に配置され、且つ正極タブ２５と重ならない位置にて負極タブ３５が積層方向に沿って列状に配置されるように積層される。正極タブ２５及び負極タブ３５は、電極組立体１４における積層方向の一端から他端までの範囲内で集められた（束ねられた）状態で折り曲げられている。正極タブ２５が重なっている箇所を溶接することによって各正極タブ２５が電気的に接続されるとともに、正極タブ２５には正極端子１５が電気的に接続されている。同様に、各負極タブ３５が重なっている箇所を溶接することによって各負極タブ３５が電気的に接続されるとともに、負極タブ３５には負極端子１６が溶接されている。正極端子１５及び負極端子１６は、蓋体１３を貫通してケース１１外に突出するとともに、正極端子１５及び負極端子１６には、ケース１１から絶縁するためのリング状の絶縁リング１７がそれぞれ取り付けられている。
【００２７】
次に、正極電極２１を搬送する搬送装置としてのサーボループ装置５０について説明する。
図４に示すように、サーボループ装置５０は、長円リング状で周回可能な回転ベルト５１と、回転ベルト５１の外周面に取り付けられた複数のポケット５２とを有する。ポケット５２は、矩形板状の底壁５２ａと、底壁５２ａの一対の長側縁から立設された長側壁５２ｂと、底壁５２ａの一対の短側縁の一方から立設された短側壁５２ｃとから構成されている。ポケット５２は、短側壁５２ｃが回転ベルト５１側となるように回転ベルト５１に取り付けられる。ポケット５２は、短側壁５２ｃと対向する位置（回転ベルト５１と反対側）に開口部５２ｄを有する。
【００２８】
サーボループ装置５０は、回転ベルト５１の周囲に第１〜第４領域Ａ１〜Ａ４を有する。第１領域Ａ１は、回転ベルト５１の周囲のうち、回転ベルト５１が直線状に延びる部分に沿う領域である。第１領域Ａ１では、空のポケット５２が、サーボループ装置５０の外側に配置された供給ベルト５５から供給された正極電極２１を受け取り、受け取った正極電極２１を搬送する。第２領域Ａ２は、回転ベルト５１の周囲のうち、回転ベルト５１が直線状に延びる部分に沿う領域である。第２領域Ａ２では、正極電極２１を搬送した後、所定の枚数の正極電極２１をポケット５２から、サーボループ装置５０の外側に配置された排出ベルト５６へと排出する。第３領域Ａ３は、回転ベルト５１の周囲のうち、回転ベルト５１が円弧状をなす部分に沿う領域である。第３領域Ａ３では、第１領域Ａ１でポケット５２に収容された正極電極２１を第３領域Ａ３へ搬送する。第４領域Ａ４は、回転ベルト５１の周囲のうち、回転ベルト５１が円弧状をなす部分に沿う領域である。第４領域Ａ４では、第３領域Ａ３で正極電極２１が排出され、空となったポケット５２を第１領域Ａ１に搬送する。サーボループ装置５０は、第２領域Ａ２よりも外側に円弧状の規制壁５３を備える。なお、正極電極２１は、第３領域Ａ３において円弧状に沿って搬送されるため、第１領域Ａ１で供給ベルト５５と対向する正極電極２１の面は、第２領域Ａ２で排出ベルト５６と対向する正極電極２１の面と異なる。つまり、サーボループ装置５０は、第３領域Ａ３において、正極電極２１を反転させながら搬送する。
【００２９】
次に、正極電極２１の搬送方法について説明する。
図５（ａ）及び図５（ｂ）に示すように、正極電極２１は、供給ベルト５５によってサーボループ装置５０の第１領域Ａ１まで搬送されると空のポケット５２に収容される。このとき、正極電極２１は、正極金属箔２２の第１端部２２ａがポケット５２の開口部５２ｄ側となるように収容される（図５（ａ）参照）。正極電極２１は、第３領域Ａ３を通過することにより、円弧状の移動経路Ｒ１に沿って搬送されて反転される。第３領域Ａ３を通過するとき、正極電極２１は、遠心力によってポケット５２の開口部５２ｄ側に飛び出す場合があるが、規制壁５３に衝突することでポケット５２から脱落することが規制される（図５（ｂ）参照）。第２領域Ａ２において、反転された正極電極２１を搬送した後、所定の枚数の正極電極２１をまとめてポケット５２から排出ベルト５６へと排出する。これにより、ポケット５２が空の状態となる。第４領域Ａ４において、空のポケット５２は、第１領域Ａ１に向けて円弧状の移動経路Ｒ２に沿って搬送される。
【００３０】
次に、第１の実施形態の効果を作用とともに記載する。
（１）サーボループ装置５０による正極電極２１の搬送中に、正極金属箔２２の第１端部２２ａは、規制壁５３に衝突する場合がある。正極金属箔２２の第１端部２２ａは、折り返し部２６を備えることでクッション性が良好となる。クッション性が良好になることで、衝突時の衝撃を吸収できる。また、正極金属箔２２の第１端部２２ａは、折り返し部２６の分だけ厚くなっているため、折り返し部２６を備えない場合と比較して強度が高くなり、クッション性が良好となる。また、折り返し部２６によって、衝突時に荷重が集中する部分の面積が大きくなるため、正極金属箔２２の第１端部２２ａに発生する応力が低減され、クッション性が良好となる。このように正極金属箔２２の第１端部２２ａのクッション性が良好となることで、未塗工部２４は撓むことなく衝突時の衝撃を吸収できる。
【００３１】
その結果、電極組立体１４において正極電極２１の撓んだ未塗工部２４がセパレータ４１を突き破り、負極電極３１に接触することによる短絡を抑制できる。また、未塗工部２４の撓みを原因とした積層時の積層ずれや、電極組立体１４の積層方向の厚みの増加を抑制できる。
【００３２】
（２）未塗工部２４の一部である角部２１ｅを角部２１ｇに折り返すことによって、正極金属箔２２の第１端部２２ａの強度を容易に高くできる。また、角部２１ｅを折り返すことで、正極金属箔２２の第１端部２２ａは角取りされた形状になるため、衝突時に荷重が集中する部分の面積を大きくできる。よって、正極金属箔２２の第１端部２２ａに発生する応力が低減され、未塗工部２４は撓むことなく衝突時の衝撃を吸収できる。
【００３３】
（３）正極電極２１の大きさは、負極電極３１及びセパレータ４１の大きさよりも一回り小さいため、撓んだ未塗工部２４がセパレータ４１に接触する可能性は、負極電極３１よりも正極電極２１の方が高い。よって、本実施形態では、正極電極２１の正極金属箔２２が第１端部２２ａに折り返し部２６を備える。
【００３４】
（第２の実施形態）
以下、第２の実施形態を図６にしたがって説明する。なお、第１の実施形態と異なる箇所は、正極電極２１の構成のみであるため、それ以外の部分については説明を省略する。
【００３５】
図６に示すように、蓄電装置用の電極としての正極電極６１は、矩形シート状の正極金属箔（例えばアルミニウム箔）６２と、正極金属箔６２の両面に存在する正極活物質層６３と、を有する。正極電極６１は、一対の長辺に沿う縁部のうちの一方の縁部に第１縁部６１ａを備える。第１縁部６１ａの延びる方向において、正極金属箔６２の一端部を第１端部６２ａとし、正極金属箔６２の他端部を第２端部６２ｂとする。正極電極６１は、第１縁部６１ａに沿って正極金属箔６２の露出した未塗工部６４を備える。未塗工部６４は、正極金属箔６２において正極活物質層６３が存在せず、正極金属箔６２そのもので構成された部分である。未塗工部６４は、第１縁部６１ａの一部から突出した矩形状の正極タブ６５を備える。正極金属箔６２は、第１端部６２ａに未塗工部２４の角部が角取りされた角取り部６６を備える。
【００３６】
次に、第２の実施形態の効果を記載する。
（４）サーボループ装置５０による正極電極６１の搬送中に、正極金属箔６２の第１端部６２ａは、規制壁５３に衝突する場合がある。正極金属箔６２の第１端部６２ａは、角取り部６６を備えることでクッション性が良好となる。クッション性が良好になることで、衝突時の衝撃を吸収できる。また、角取り部６６によって、衝突時に荷重が集中する部分の面積が大きくなるため、正極金属箔６２の第１端部６２ａに発生する応力が低減され、クッション性が良好となる。このように正極金属箔６２の第１端部６２ａのクッション性が良好となることで、未塗工部６４は撓むことなく衝突時の衝撃を吸収できる。
【００３７】
なお、第１及び第２の実施形態は、以下のように変更してもよい。
○  正極電極２１は、正極金属箔２２の片面に正極活物質層２３が存在する構造でもよい。同様に、負極電極３１は、負極金属箔３２の片面に負極活物質層３３が存在する構成でもよい。
【００３８】
○  正極タブ２５は、矩形状でなくてもよい。また、正極タブ２５は、正極金属箔２２の一対の短辺に沿う縁部のうちの一方の縁部の一部から突出していてもよい。同様に、負極タブ３５は、矩形状でなくてもよい。また、負極タブ３５は、負極金属箔３２の一対の短辺に沿う縁部のうちの一方の縁部の一部から突出していてもよい。
【００３９】
○  正極電極２１に加えて、負極電極３１の負極金属箔３２に折り返し部や角取り部を有していてもよい。
○  負極電極３１は、正極電極２１と同じ大きさ、又は正極電極２１よりも小さくてもよい。
【００４０】
○  正極電極２１は、正極金属箔２２の第２端部２２ｂ側に折り返し部２６を有する構成としてもよい。同様に、正極電極６１は、正極金属箔６２の第２端部６２ｂ側に角取り部６６を有する構成としてもよい。折り返し部２６や角取り部６６を正極金属箔２２，６２の第１端部２２ａ，６２ａ及び第２端部２２ｂ，６２ｂのどちらに設けるかは、ポケット５２への正極電極２１への収容に応じて変更する。
【００４１】
○  第１の実施形態では、折り返し部２６は、未塗工部２４の一部である角部２１ｅを角部２１ｇに向かって折り返して構成されていたが、折り返し部２６の構成は、これに限定されない。
【００４２】
例えば、図７に示すように、正極電極２１の未塗工部２４は、正極金属箔２２の一辺（第１縁部２１ａ）から突出する正極タブ２５の他に突出片２７を備える。正極タブ２５の突出方向と突出片２７の突出方向は同じである。また、正極タブ２５と突出片２７は、第１縁部２１ａに沿う方向において隣り合う。正極タブ２５と突出片２７との境界部には、スリット２８が存在する。折り返し部２６は、突出片２７を第３縁部２１ｃに沿う方向に折り返して構成されている。
【００４３】
この場合、突出片２７の大きさを変更するだけで、折り返し部２６の大きさを容易に変更できる。また、第１縁部２１ａからの正極タブ２５及び突出片２７の突出方向は同じであるため、正極電極２１の製造に関して、突出方向が異なる場合よりも突出片２７を折り返す前の正極金属箔２２の形状を簡単化できる。また、正極タブ２５と突出片２７は、隣り合って存在するため、正極電極２１の製造に関して、離れた位置に存在している場合よりも突出片２７を折り返す前の正極金属箔２２の形状を簡単化できる。
【００４４】
○  第１の実施形態では、未塗工部２４の一部である角部２１ｅを１回折り返すことで、折り返し部２６を構成していたが、複数回折り返して折り返し部２６を構成してもよい。
【００４５】
○  第１の実施形態では、電極組立体１４は、複数の正極電極２１と複数の負極電極３１とをセパレータ４１を介して交互に積層した構造であったが、電極組立体１４の構造はこれに限定されない。例えば、電極組立体１４は、正極電極を収納した電極収納セパレータと負極電極とを交互に積層した構造であってもよい。
【００４６】
図８に示すように、電極収納セパレータ７１は、袋状のセパレータ部材であり、内部に正極電極８１を収容している。正極電極８１の未塗工部８４は、正極金属箔８２の一辺（第１縁部８１ａ）から突出する正極タブ８５と、位置ずれ検出片８６とを備える。第１縁部８１ａからの正極タブ８５及び位置ずれ検出片８６の突出方向は同じである。また、正極タブ８５と位置ずれ検出片８６は、第１縁部８１ａに沿う方向において隣り合う。位置ずれ検出片８６は、電極収納セパレータ７１と負極電極とを積層した際に、正極電極８１の第３縁部８１ｃや第４縁部８１ｄに沿う方向において、正極電極８１と負極電極との位置ずれを検出するためのものである。位置ずれ検出片８６は、第１縁部８１ａの延びる方向の一方の端部８６ａに折り返し部８７を有する。折り返し部８７は、位置ずれ検出片８６の角部を折り返して構成されている。
【００４７】
正極電極８１が電極収納セパレータ７１に収納された状態において、正極タブ８５及び位置ずれ検出片８６の一部は、電極収納セパレータ７１から突出している。サーボループ装置５０による搬送中、正極電極２１がポケット５２から飛び出して、位置ずれ検出片８６が規制壁５３に衝突しても、折り返し部８７によってクッション性が良好となっているため、撓むことなく衝撃を吸収できる。
【００４８】
○  二次電池１０は、リチウムイオン二次電池でもよいし、他の二次電池であってもよい。要は、正極用の活物質と負極用の活物質との間をイオンが移動するとともに電荷の授受を行うものであればよい。
【００４９】
○  蓄電装置は、例えばキャパシタなど、二次電池以外の蓄電装置にも適用可能である。
【符号の説明】
【００５０】
２１，６１…蓄電装置用の電極としての正極電極、２１ａ，６１ａ…一辺としての第１縁部、２１ｅ…角部、２２，６２…金属箔としての正極金属箔、２２ａ，６２ａ…端部としての第１端部、２３，６３…活物質層としての正極活物質層、２４，６４…未塗工部、２５…タブとしての正極タブ、２６…折り返し部、２７…突出片、３１…蓄電装置用の電極としての負極電極、３１ａ…一辺としての第１縁部、３２…金属箔としての負極金属箔、３３…活物質層としての負極活物質層、３４…未塗工部、３５…タブとしての負極タブ、６６…角取り部。
【図１】
2018120703.tif 000003
【図２】
2018120703.tif 000004
【図３】
2018120703.tif 000005
【図４】
2018120703.tif 000006
【図５】
2018120703.tif 000007
【図６】
2018120703.tif 000008
【図７】
2018120703.tif 000009
【図８】
2018120703.tif 000010